(57)【要約】【課題】  状況に応じたオフセット値を異なるシーンにおいても保持・反映することができるパラメータ設定装置を提供する。【解決手段】  パラメータメモリ１から読み出されたパラメータ値は加算器４を介して加算バッファ１０に入力される。加算器４にはオフセットバッファ３からオフセット値が入力されているため、加算バッファ１０に入力される値はパラメータ値にオフセット値が加算された値となる。これにより、パラメータメモリ１の内容を変更することなく、読み出されるパラメータの全てにオフセット値を反映することができる。また、加算バッファ１０の内容が入力／表示装置１１によって変更されるとその変更された値が減算器１２によって算出され、オフセットバッファ３に書き込まれる。これにより、修正内容が即座にオフセット値として記憶されるため、リアルタイムのオフセット値の設定が可能になる。【選択図】  図４
2005354709.tif 000002
【特許請求の範囲】
【請求項１】
動作部の動作を規定する複数のパラメータからなるパラメータセットを複数記憶するパラメータメモリと、
パラメータ記憶手段と、
ユーザによる指示に応じて前記複数のパラメータセットのうち任意の１つを前記パラメータメモリから前記パラメータ記憶手段に読み出すリコール手段と、
前記パラメータセットを構成する複数のパラメータのうちの１または複数のパラメータに対応するオフセット値を記憶するオフセット記憶手段と、
前記オフセット記憶手段の記憶するオフセット値を修正する入力手段と、
オンオフ可能なスイッチと、
前記スイッチがオンしているとき、前記パラメータ記憶手段から読み出したパラメータセットを、前記オフセット記憶手段から読み出したオフセット値を対応するパラメータ値に加算して前記動作部に供給し、
前記スイッチがオフしているとき、前記パラメータ記憶手段から読み出したパラメータセットをそのまま前記動作部に供給するパラメータ供給手段と、
を備え、
前記リコール手段は、前記オフセット記憶手段に記憶されたオフセット値を維持したまま前記複数のパラメータセットのうちいずれかを前記パラメータメモリから前記パラメータ記憶手段に読み出すことを特徴とするパラメータ設定装置。
【請求項２】
前記パラメータ記憶手段の記憶するパラメータセットの対応するパラメータ値に前記オフセット記憶手段が記憶しているオフセット値を足し込むパラメータ更新手段と、を備えたことを特徴とする請求項１に記載のパラメータ設定装置。
【請求項３】
複数のオフセット値を記憶するオフセットメモリと、
前記オフセットメモリに記憶された複数のオフセット値のうちいずれかを前記オフセット記憶手段に読み出す選択手段と、
を備えた請求項１、または請求項２に記載のパラメータ設定装置。
【発明の詳細な説明】
【技術分野】
【０００１】
この発明は、あらかじめ記憶されているパラメータ値とパラメータを臨時に変更するオフセット値とを記憶し、パラメータ値を変更しないでオフセット値による制御変更を可能にし、また、複数のパラメータ値が記憶されている場合に全てのパラメータ値に対してオフセット値を反映させるパラメータの設定装置に関する。
【背景技術】
【０００２】
パラメータによってその動作を制御される装置としてメモリ付ミキサがある。従来のメモリ付ミキサは、図１０に示すように、複数のパラメータセットを記憶するパラメータメモリと、そのなかの１つのパラメータセットを記憶し、動作部（ＤＳＰ等）にそのパラメータセットを供給するテンポラリバッファとを備え、オペレータが一つのパラメータセットのリコール（読み出し）を指示すると、指定されたパラメータセットをパラメータメモリから読み出し、テンポラリバッファをクリアしてこの読み出されたパラメータを上書きする。ここで、パラメータセットとは、１つのシーンを制御する複数のパラメータ群をいう。
【０００３】
たとえば、結婚式場でこのメモリ付ミキサを使用する場合には、複数のマイクやＣＤプレーヤなどのミキシングレベルを披露宴のシーン変更毎に予めパラメータメモリに記憶しておき、本番では、シーンの進行に応じてパラメータメモリを順次リコールすることにより各マイクやＣＤプレーヤのレベル設定を簡単に行うことができる。
【０００４】
また、図１１は図１０に示す構成にリコールフィルタを追加し、リコールフィルタの設定によりパラメータメモリの内容の一部だけをテンポラリバッファに書き込むことができるようにしたものである。テンポラリバッファに記憶されるパラメータセットの一部のみを書き換えたい場合に利用される。
【０００５】
また、図１２は図１０に示すメモリ付ミキサを時間軸に沿って自動制御する構成例である。この構成では、ＭＩＤＩシーケンサからプログラムチェンジデータが入力されると、このデータに含まれるプログラムナンバでメモリリコールを行い、ＭＩＤＩシーケンサからコントロールチェンジデータが入力されると、このデータに含まれるパラメータ値（絶対値）をテンポラリバッファに書き込み、音声制御の変更を行う。
【発明の開示】
【発明が解決しようとする課題】
【０００６】
しかし、図１０のように、予め記憶した複数のパラメータセットを進行に応じて順次リコールする場合、あるパラメータセットをテンポラリバッファに読み出しているとき、例えば、話者の声の大きさの違いにより音量レベルを調整したとしても、次のパラメータセットをリコールしたとき新たなパラメータセットがテンポラリバッファに上書きされるため前記調整の結果は失われてしまい、メモリリコール毎に調整をやり直さなければならない欠点があった。
【０００７】
また、図１１のようにリコールフィルタを使って上記の調整されたパラメータについてはパラメータメモリから読み出されたパラメータを書き込まずに、各シーン毎に手動で調整を行うこともできるが、シーンに応じてきめ細かく設定されたメモリの内容をミキシングに活かすことができない欠点があった。
【０００８】
また、図１２に示すようなＭＩＤＩシーケンサでミキサを制御する場合も同様で、手動でフェーダを調整した場合でも、コントロールチェンジにより調整したパラメータが更新された場合やプログラムチェンジによりテンポラリバッファ全体が書き換えられた場合には手動で行った調整が無効になってしまい、シーケンスデータを活用しながら、その場面の状況に応じたパラメータの修正を行うことができなかった。
【０００９】
この発明は、そのときの状況に応じたオフセット値を記憶し、全てのパラメータセットにこれを反映することにより上記課題を解決したパラメータ設定装置を提供することを目的とする。
【課題を解決するための手段】
【００１０】
この出願の請求項１の発明は、動作部の動作を規定する複数のパラメータからなるパラメータセットを複数記憶するパラメータメモリと、パラメータ記憶手段と、ユーザによる指示に応じて前記複数のパラメータセットのうち任意の１つを前記パラメータメモリから前記パラメータ記憶手段に読み出すリコール手段と、前記パラメータセットを構成する複数のパラメータのうちの１または複数のパラメータに対応するオフセット値を記憶するオフセット記憶手段と、前記オフセット記憶手段の記憶するオフセット値を修正する入力手段と、オンオフ可能なスイッチと、前記スイッチがオンしているとき、前記パラメータ記憶手段から読み出したパラメータセットを、前記オフセット記憶手段から読み出したオフセット値を対応するパラメータ値に加算して前記動作部に供給し、前記スイッチがオフしているとき、前記パラメータ記憶手段から読み出したパラメータセットをそのまま前記動作部に供給するパラメータ供給手段と、を備え、前記リコール手段は、前記オフセット記憶手段に記憶されたオフセット値を維持したまま前記複数のパラメータセットのうちいずれかを前記パラメータメモリから前記パラメータ記憶手段に読み出すことを特徴とする。
【００１１】
この発明によれば、パラメータセットがテンポラリバッファに読み出され、この読み出されたパラメータセットにオフセット値が加算され、加算後のパラメータ値で動作される。パラメータセットは、ユーザが場面に応じて読み出すべきものを指示する。また、オフセット値は、ユーザが使用環境に応じて微調整することができ、この微調整値はオフセットバッファに記憶されている。ユーザが読み出すパラメータセットを変更指示しても、オフセットバッファの内容は変更されず、オフセット値は変更されない。運用上、シーンが変わり、ユーザがパラメータセットを変更指示したとしても、オフセット値が変更されるわけではなく、それぞれのシーンに応じたパラメータセットにユーザが微調整した値が常に加算されることになる。
【００１２】
この出願の請求項２の発明は、前記パラメータ記憶手段の記憶するパラメータセットの対応するパラメータ値に前記オフセット記憶手段が記憶しているオフセット値を足し込むパラメータ更新手段と、を備えたことを特徴とする。
【００１３】
この発明によれば、オフセット値で変更したパラメータセットを新たにパラメータセットとして登録することができる。
【００１４】
この出願の請求項３の発明は、複数のオフセット値を記憶するオフセットメモリと、前記オフセットメモリに記憶された複数のオフセット値のうちいずれかを前記オフセット記憶手段に読み出す選択手段と、を備えたことを特徴とする。
【００１５】
この発明によれば、複数のオフセット値のなかから適当なものをその場面等に応じて選択することができるため、場面毎にオフセット値を微調整しなくても読み出すだけでオフセット値の設定をすることができ、例えば同一のマイクを複数の発話者が使用する場合、発話者に応じて即座にオフセット値を変更することができる。
【発明の効果】
【００１６】
この発明によれば、パラメータセットの内容を変更することなく、パラメータ値にユーザが微調整したオフセット値を反映して動作部を制御することができので、ユーザはパラメータセットの変更、オフセット値のオン／オフを指示することで、状況に応じて容易かつ迅速な対応をとることができる。
【発明を実施するための最良の形態】
【００１７】
図１は請求項１の発明が適用された装置のブロック図である。パラメータメモリ１にはこの装置の動作部５の動作を規定するパラメータが複数記憶されている。パラメータメモリ１にはテンポラリバッファ２が接続されている。テンポラリバッファ２には入力／表示装置７が接続されている。入力／表示装置７の操作によってテンポラリバッファ２にパラメータ値が入力され、ストアコマンドによりこのパラメータ値がパラメータメモリ１の所定のメモリナンバのエリアに記憶される。また、入力／表示装置７の操作でメモリリコールが指示されるとパラメータメモリ１に記憶されているパラメータのうち指示された１つが読み出される。テンポラリバッファ２に読み込まれたパラメータは加算器４を介して動作部５に供給される。加算器４にはオン／オフスイッチ６を介してオフセットバッファ３が接続されている。オフセットバッファ３には前記パラメータのオフセット値が記憶される。このオフセット値は入力／表示装置８から入力される。なお、入力／表示装置７と入力／表示装置８とは切り換えによって一部または全部を兼用することもできる。オン／オフスイッチ６がオンしているとき、オフセットバッファ３に記憶されているオフセット値は加算器４に供給される。加算器４においてはテンポラリバッファ２から出力されたパラメータ値とオフセットバッファ３から出力されたオフセット値とが加算される。この加算された値が動作部５に供給される。
【００１８】
上述したようにパラメータメモリ１には複数のパラメータが記憶されているが、テンポラリバッファ２にどのパラメータが読み出されても、加算器４において同じオフセット値が加算されたのち動作部５に入力される。これにより、オフセットバッファ３に補正値としてオフセット値をセットすることによって、全てのパラメータにこの補正を施して動作部５に入力することができる。
【００１９】
なお、上記構成において、パラメータメモリ１に記憶される複数のパラメータは、単一のパラメータを複数記憶する場合、複数のパラメータからなるパラメータセットを複数セット記憶する場合の両方を含むものとする。パラメータセットを複数セット記憶する場合には、オフセットバッファ３はパラメータセットを構成する複数のパラメータのうちの任意の１または複数のパラメータに関するオフセット値を記憶し、加算器４は各パラメータ毎に加算を行うものとする。これは以下の実施形態においても同様である。
【００２０】
この発明を、たとえばオーディオミキサに適用した場合、リハーサルで複数のシーンのマイクセッティングをメモリしておいたが、本番のときに、あるマイク（または話者）のゲインが低い／高い場合、または、リハーサルは代理の者が行い本番のみ本人の場合、セッティングを修正する必要があるが、本番の最初に入力／表示装置８でオフセット値をオフセットバッファ３にセットしておくことにより、それ以後は全てのシーンでそのオフセット値による補正が行われるため、リハーサルに行ったセッティングメモリを有効に活用することができ、かつ、本番当日の臨時の変更を全てのシーンに反映することができる。
【００２１】
図２は上記装置のパラメータ記憶手段を変更した装置のブロック図である。同図の装置において図１の装置と構成上同一の部分は同一番号を付して説明を省略する。この装置で図１の装置と異なる点は、オフセットバッファ３にオフセットメモリ９を接続した点である。すなわち、オフセットメモリ９に複数（複数セット）のオフセット値を記憶しておき、入力／表示装置８の操作によってそのうちいずれかをオフセットバッファ３に読み出す。オフセットバッファ３に読み出されたオフセット値がオン／オフスイッチ６を介して加算器４に出力され、テンポラリバッファ２に記憶されている（パラメータメモリ１から読み出されている）パラメータ値と加算されて、動作部５に入力される。
【００２２】
このような構成にすることにより、複数種類の修正値をオフセットメモリ９に記憶しておくことにより、予想される修正を予め複数記憶しておき、臨時の修正を操作パネル（フェーダ等）の操作でなく、オフセットメモリ９の読み出して行うことができる。
【００２３】
たとえば、この発明をオーディオミキサに適用した場合、結婚式で司会やスピーチが輪番で行われる場合であって、どの場面でどの人がどのマイクで話すかが不明の場合には、各話者の（標準的なレベルからの）修正値をオフセット値としてオフセットメモリ９に記憶しておき、本番時に話者が判明したときに、そのシーンの話者に対応するマイクのチャンネルに対応するオフセットバッファにそのオフセット値を読み出すことにより、どの場面にどの話者が登場してもこれに対応することができる。
【００２４】
図３は図１の装置のオフセット記憶手段を変更した装置のブロック図である。この装置において、図１に示した装置と構成上同一の部分は同一番号を付して説明を省略する。この装置が図１の装置と異なる点は、加算器４と動作部５との間に加算バッファ１０を設けた点である。加算バッファ１０にはテンポラリバッファ２に記憶されているパラメータ値とオフセットバッファ３に記憶されているオフセット値とを加算器４で加算した結果の値が記憶される。この加算バッファ１０の記憶内容が動作部５に供給される。また、加算バッファ１０には入力／表示装置１１が接続されている。この入力／表示装置１１は、加算バッファ１０の内容を表示するとともに、加算バッファ１０の記憶内容を変更することもできる。この変更は、他のメモリ，バッファの記憶内容に全く影響を与えない。また、テンポラリバッファ２およびオフセットバッファ３にもそれぞれ入力／表示装置７，８が接続されている。入力／表示装置７を用いてテンポラリバッファ２に記憶するパラメータの選択や値の確認・修正などを行うことができる。また、入力／表示装置８を用いてオフセット値の確認や修正などを行うことができる。なお、入力／表示装置７，８，１１は切り換えにより一部または全部を兼用することが可能である。
【００２５】
さらに、加算バッファ１０は直接パラメータメモリ１と接続されている。パラメータメモリ１の記憶内容を更新するとき、この加算バッファ１０に記憶されている値で記憶内容を更新すれば、オフセット値を取り込んだパラメータ値を記憶することができ、以後オフセットによる修正なしで、直接動作部５にそのパラメータを供給することで動作部５を正常に動作させることができる。
【００２６】
また、加算バッファ１０に加算値が記憶されているため、動作部５に供給されているパラメータ値を常時確認することができる。すなわち、オフセット値，パラメータ値，加算値をそれぞれ別に確認表示することができる。
【００２７】
図４は別の実施形態に係る装置のブロック図である。この装置において、図１〜図３の装置と構成上同一の部分は同一番号を付すものとする。パラメータメモリ１にはこの装置の動作部５の動作を規定するパラメータが複数記憶されている。パラメータメモリ１には加算器４が接続されている。加算器４にはオン／オフスイッチ６を介してオフセットバッファ３が接続されている。オフセットバッファ３には前記パラメータのオフセット値が記憶される。したがって、加算器４はパラメータメモリ１から読み出されたパラメータ値およびオフセットバッファ３から読み出されたオフセット値を加算する。この加算された値は加算バッファ１０に入力される。加算バッファ１０の記憶内容が動作部５に供給され、その動作を規定する。
【００２８】
また、加算バッファ１０には入力／表示装置１１が接続されている。入力／表示装置１１が操作されると、加算バッファ１０のその内容が修正・変更される。加算バッファ１０の内容は動作部５に供給されるとともに、減算器１２にも供給される。この減算器１２はパラメータメモリ１からパラメータ値が読み出されたとき、その値を取り込んで記憶しているものとする。そして、加算バッファ１０から値が出力されたとき、その差（加算バッファの加算値−パラメータ値）をオフセット値として出力し、このオフセット値をオフセットバッファ３に入力する。
【００２９】
上述したように、加算バッファ１０の内容が入力／表示装置１１の操作によって変更されると、その変更された値が動作部５および減算器１２に出力される。減算器１２はこの変更された加算値ともともとのパラメータ値との差を算出してオフセット値としてオフセットバッファ３に入力する。これにより、動作部５に入力する値を修正することによって、自動的にオフセット値を算出し、これをオフセットバッファに記憶するため、オフセットの設定を意識しなくても、動作部５の調整によって自動的にオフセットの設定をすることができる。
【００３０】
なお、オフセットバッファ３には、図２，図３の装置と同様に入力／表示装置やオフセットメモリを接続するようにしてもよい。
【００３１】
図５はさらに別の実施形態に係る装置のブロック図である。この装置は、ＭＩＤＩシーケンサによってパラメータのリコールや個別のパラメータ変更を行う。この装置において、図４に示した装置と構成上同一の部分は同一番号を付して説明を省略する。この装置が図４の装置と異なる点は、パラメータメモリ１と加算器４との間にメモリバッファ１３を設け、ＭＩＤＩシーケンサ１４から入力されるコントロールチェンジ電文を該メモリバッファ１３で受信するようにした点である。すなわち、ＭＩＤＩシーケンサ１４でこの装置をコントロールする場合、プログラムチェンジでパラメータメモリ１からのパラメータの読み出し（リコール）を行い、コントロールチェンジで個別のパラメータの書き換えを行う。この装置をミキサに適用した場合、プログラムチェンジの番号に対応するシーンのセッティングデータをリコールし、コントロールチェンジで各チャンネルやマスタフェーダなどの対応する個別のパラメータを制御する。
【００３２】
この場合に、コントロールチェンジで入力されるパラメータを直接加算バッファ１０に入力するとオフセット値が無効になり、また、この装置ではオフセット値はリコールされた値と加算バッファの記憶内容との差で算出されるため、オフセット値が全く無意味な値に書き換えられてしまうことになる。そこで、パラメータメモリ１と加算器４（減算器１２）との間にメモリバッファ１３を設け、パラメータメモリ１からリコールしたパラメータやＭＩＤＩシーケンサ１４から入力されたコントロールチェンジデータを一旦このメモリバッファ１３に格納したのち、加算器４，減算器１２に出力するようにしている。これによって、予めプログラムされたコントロールチェンジによって行われるパラメータ値変更と加算バッファ１０に付属した入力装置による変更とを区別することができる。この結果、これまで実質的に不可能であったオートメーション再生中の音量変更をはじめとするパラメータの補正がオフセットスイッチをオンにしておくだけで可能となった。なお、メモリバッファ１３への個別のパラメータ供給は、上記ＭＩＤＩシーケンサだけでなく、外部コンピュータ、リモコンなど種々の外部機器やミキサ内部のオートメーションコントロール機能などから行うことが可能であり、その場合も上記と同じようにメモリバッファ１３を介してパラメータを供給するこことにより、これらのパラメータに対しても所定のオフセット値を加算することができる。
【００３３】
図６は請求項２の発明を適用した装置のブロック図である。この装置は、図１に示した装置と基本的構成は同一である。すなわち、複数のパラメータを記憶しているパラメータメモリ１から１つのパラメータをテンポラリバッファ２に読み出し、この読み出されたパラメータとオフセットバッファ３に記憶されているオフセット値とを加算器４で加算して動作部５に入力するものである。これにより、パラメータメモリ１のどのパラメータが読み出された場合でも、オフセット値を反映して動作部５に入力することができる。
【００３４】
そして、テンポラリバッファ２の内容でパラメータメモリ１を書き換えるとき、オフセットバッファ３に記憶されているオフセット値をテンポラリバッファ１２に足し込み、足し込まれた値をパラメータメモリ１に記憶する。以後、このパラメータを読み出すときはオフセット値が加算された値がパラメータ値として読み出されるため、オン／オフスイッチ６をオフしておき、テンポラリバッファ２の値のみを加算器４を介して動作部５に入力すればよい。
【００３５】
そして、パラメータメモリ１に記憶されている全てのパラメータについてこの足し込み→書き換えが完了すれば、オフセットバッファ３の内容をクリアすればよい。そうすることによって、全てのパラメータについてパラメータメモリ１からパラメータ値を読み出したときオフセット値が考慮されたものになる。
【００３６】
また、図７は請求項２の別の適用例の一部構成図である。この装置では、オフセットバッファ３の内容をパラメータメモリ１の記憶内容（パラメータ）に直接足し込むようにしている。これにより、これまでのメモリリコール（テンポラリバッファの内容）とオフセット値との内容を加算するという方法ではなく、メモリをリコールせずに直接メモリにオフセット値を書き加えることができる。そして、この構成ではオフセットバッファの値（オフセット値）をパラメータメモリ１に記憶されているパラメータの一つに加算することができるのみならず、複数または全てのパラメータに一度に加算することもできる。
【００３７】
たとえば、装置がミキサであるとすると、１回目のリハーサルに司会者が到着していない場合に代理の人でリハーサルをして複数のシーンのセッティングをメモリしておき、司会者が到着してからある一つのシーンのリハーサルを行うことにより（＋１０ｄＢなどの）オフセット値を作成して、これを全てのシーンのセッティングメモリに加えれば、代理の人のときのメモリのパラメータを本番の司会者用に書き換えることができる。
【００３８】
［実施例]
図８，図９を参照して、前記図４の実施形態を具体的にオーディオミキサに適用した場合の実施例を示す。
【００３９】
図８はメモリ付オーディオミキサの操作パネルの概略図である。操作パネル面には、複数チャンネル（１６チャンネル）のフェーダ２１，マスタフェーダ２２，メモリ（シーン）ナンバ等を表示する７セグメントのＬＥＤ表示器２３，ストアスイッチ２３，メモリナンバアップ／ダウンスイッチ２５，メモリリコールスイッチ２６，オフセットクリアスイッチ２７，オフセットオン／オフスイッチ２８が設けられている。また、チャンネル１の端子には司会者用マイク３１が接続されており、チャンネル２の端子には媒酌人用マイク３２が接続されており、チャンネル３の端子にはＢＧＭ用のＣＤプレーヤが接続されている。
【００４０】
最初にリハーサルを行うとき、各シーン毎にマイクのレベルをフェーダ２１でセットし、各シーン順のメモリナンバを付して、パラメータメモリに記憶する。メモリナンバはメモリナンバアップ／ダウンスイッチ２５で設定するとＬＥＤ２３にそのナンバが表示され、ストアスイッチ２４をオンするとそのときの設定内容がそのナンバに対応するメモリエリアに記憶される。これを複数のシーンについて実行する。この操作により、パラメータメモリ１には複数組のパラメータセットが記憶される。
【００４１】
図９にパラメータメモリ１の記憶内容の例を示す。この例は、該メモリ付オーディオミキサが結婚披露宴会場に用いられた場合の例を示している。パラメータメモリ１にはそれぞれのシーンについて、音量設定（フェーダの位置）やイコライザ等の複数のパラメータ値を記憶しているが、同図には説明を簡略にするためチャンネル１，２，３のフェーダ位置のみを示す。
【００４２】
結婚披露宴で司会者がＢＧＭをバックにスピーチする場面をシーン１、媒酌人が挨拶する場面をシーン２，その後再び司会者が話す場面をシーン３とする。リハーサルで各シーン毎に、各チャンネルの音量を確認しフェーダの位置を決めて予めパラメータメモリ１に記憶しておく。通常は、メモリ番号とシーン番号が一致するように記憶される。
【００４３】
そして、本番においては、メモリ番号順にメモリリコールする。メモリ１をリコールして司会者が話しはじめたとき、声が非常に小さいためオペレータがチャンネル１のフェーダを−１０ｄＢから０ｄＢまであげたとする。このフェーダの修正はパラメータメモリ１の内容には反映されないが、加算バッファ１０の内容が書き換えられて現在の設定値に反映されるとともに、この値とパラメータメモリ１からメモリリコールされたときの値との差（＋１０ｄＢ）がオフセットバッファ３に記憶される。オフセットオン／オフスイッチ２８をオンしておくことにより、以後メモリリコールされる全てのシーンのチャンネルのフェーダ値が１０ｄＢ加算される。シーン２（メモリ２）の場面ではチャンネル１のフェーダ値は−∞ｄＢ（絞り切り）であるため１０ｄＢ加算しても−∞のままあるが、シーン３（メモリ３）をリコールしたときは、−１０ｄＢに１０ｄＢが加算されて０ｄＢとなりシーン１で変更したフェーダの修正分が以後のメモリリコール時にも反映されることになる。これにより予めプログラムしたメモリ資源を活用しながら同時に連続的な修正も行うことができる。
【００４４】
また、メモリリコールしたのちストアスイッチ２４を押すとと、加算バッファ１０に記憶されている内容、すなわち、メモリリコールした値にオフセット値が加算された値が逆にパラメータメモリ１に書き込まれる。これにより、オフセットを加味した値がパラメータ値として記憶されることになる。そして、これを再度リコールするとオフセット値が２重に加算されることになるため、パラメータメモリ１の各シーンメモリにオフセットフラグを設け、このオフセットフラグがセットされている場合には、自動的にオフセットオン／オフスイッチ６をオフしてオフセット値が加算されないようにする。また、全てのシーンについてオフセット値を加算した値が再ストアされた場合には、オフセットバッファをクリアする、すなわち、オフセットクリアスイッチ２７をオンする。この操作により、オフセットバッファ３の内容がクリアされ、また、パラメータメモリ１の全てのシーンのオフセットフラグもリセットされる。
【００４５】
これにより、オフセットをオフセット値としてメモリの内容と別にもつことも可能であり、また、オフセット値を加味した値をパラメータ値としてもつことも可能となる。
【図面の簡単な説明】
【００４６】
【図１】請求項１の発明を適用した装置のブロック図
【図２】同装置のオフセット記憶手段を変更した装置のブロック図
【図３】同装置のパラメータ供給手段を変更した装置のブロック図
【図４】別の実施形態に係る装置のブロック図
【図５】さらに別の実施形態に係る装置のブロック図
【図６】請求項２の発明を適用した装置のブロック図
【図７】請求項２の発明を適用した他の装置の一部ブロック図
【図８】この発明の実施例であるメモリ付きオーディオミキサの操作パネルを示す図
【図９】同オーディオミキサのパラメータメモリの構成を示す図
【図１０】従来のオーディオミキサの概略ブロック図
【図１１】従来のオーディオミキサの概略ブロック図
【図１２】従来のオーディオミキサの概略ブロック図
【符号の説明】
【００４７】
１−パラメータメモリ、２−テンポラリバッファ、３−オフセットバッファ、  ４−加算器、５−動作部、６−オフセットオン／オフスイッチ、
７，８，１１−入力／表示装置、９−オフセットメモリ、
１０−加算バッファ、１２−減算器、１３−メモリバッファ、
１４−ＭＩＤＩシーケンサ、１５，１６−加算器
２０−メモリ付きオーディオミキサ、２１−フェーダ、
２２−マスタフェーダ、２３−７セグメント表示器、２４−ストアスイッチ、  ２５−メモリナンバアップ／ダウンスイッチ、
２６−メモリリコールスイッチ、２７−オフセットクリアスイッチ、
２８−オフセットオン／オフスイッチ、
３０−（ＢＧＭ用）ＣＤプレーヤ、３１，３２−マイク
【図１】
2005354709.tif 000003
【図２】
2005354709.tif 000004
【図３】
2005354709.tif 000005
【図４】
2005354709.tif 000006
【図５】
2005354709.tif 000007
【図６】
2005354709.tif 000008
【図７】
2005354709.tif 000009
【図８】
2005354709.tif 000010
【図９】
2005354709.tif 000011
【図１０】
2005354709.tif 000012
【図１１】
2005354709.tif 000013
【図１２】
2005354709.tif 000014